(57)【要約】  【課題】  重量が軽くかつ日常作業においても違和感が無く装着しやすい実用的な冷暖房衣服を提供する。  【解決手段】  冷暖房チョッキ１に着脱自在に装着でき、電圧の供給により遠赤外線を放射する遠赤外線放射シート２と、冷暖房チョッキ１に着脱自在に取り付けられ、送風によって体温を冷す送風ファン３・３と、遠赤外線放射シート２と送風ファン３・３の駆動を一台で共用できる携帯型二次電池４とを備えている。このような構成にすることにより、取り外し可能であるため洗濯も問題無く行え、暖房用と冷房用を一台の二次電池で済ますことができ、さらに冷房のみ、暖房のみ、冷暖房兼用型にも対応できるので、広範囲に使用することができる。【選択図】  図２
0003118697.tif 000002
【実用新案登録請求の範囲】
【請求項１】
衣服に着脱自在に取り付けられ、電源の供給により発熱する面状発熱体と、衣服に着脱自在に取り付けられ、送風によって体温を冷す送風ファンと、面状発熱体と送風ファンの駆動を一台で共用できる携帯型二次電池と、を備えたことを特徴とする冷暖房衣服。
【請求項２】
請求項１に記載の冷暖房衣服において、前記面状発熱体の配設位置は、衣服の装着時におおよそ背骨の第７胸椎と第８胸椎の部分を覆うように面状に広がり、かつ衣服背中面の面積の１／４〜１／６に設定してある、冷暖房衣服。
【請求項３】
請求項１から請求項２のいずれか一項に記載の冷暖房衣服において、前記携帯型二次電池が、面状発熱体と送風ファンのどちらかに接続されたかを判別する判別手段と、電圧制御手段とを備え、判別手段が面状発熱体に接続されたと判別した場合には、電圧制御手段が接続後しばらくの間は高い第１電圧を印加して加熱し、その後はその第１電圧よりも低い第２電圧で面状発熱体を加熱し、判別手段が送風ファンに接続されたと判別した場合には、電圧制御手段が第３電圧とその第３電圧よりも低い第４電圧を時間的に交互に印加するようにした、冷暖房衣服。
【請求項４】
請求項１から請求項３のいずれか一項に記載の冷暖房衣服において、前記送風ファンは、外部の空気を衣服の内部に取り入れ、衣服内の体温で暖まった空気を外部に放出させることにより、衣服内を冷房する構成である、冷暖房衣服。
【請求項５】
請求項１から請求項４のいずれか一項に記載の冷暖房衣服において、衣服の上部側に設けられた水貯蔵部と、衣服の所定箇所に設けられ、水貯蔵部から徐々に漏れる水を保持する保水布帛とを備え、前記送風ファンによって生じた送風を保水布帛に当てることにより水の気化を促進させて冷房効果を高めた、冷暖房衣服。
【請求項６】
請求項１から請求項５のいずれか一項に記載の冷暖房衣服において、衣服の背中対応部分に面状発熱体を収容する発熱体ポケット部を設けることにより、面状発熱体を着脱自在に取り付けた、冷暖房衣服。
【請求項７】
請求項１から請求項６のいずれか一項に記載の冷暖房衣服において、衣服形状をチョッキ形状にするとともに、腕が出る両肩部と腰回りに送風ファンからの送風が肩部と腰回りから漏れることを抑制する締め具を設けた、冷暖房衣服。
【請求項８】
請求項１から請求項７のいずれか一項に記載の冷暖房衣服において、衣服に携帯型二次電池を収容する電池ポケット部を設けるとともに、携帯型二次電池をベルトに止めるベルト装着具を設け、面状発熱体および送風ファンからの各接続線をベルト装着具に収容された携帯型二次電池にまで達する長さに設定した、冷暖房衣服。
【請求項９】
請求項１から請求項８のいずれか一項に記載の冷暖房衣服において、衣服の前面のファスナー等の開閉部材を挟んで、左右対称に防刃パネルを入れる防刃パネル収容袋を設け、開閉部材を開いた状態で左右の防刃パネル収容袋に防刃パネルの左右両端部を挿入し、開閉部材を綴じることにより、衣服の前面に防刃パネルを配置させるようにした、冷暖房衣服。
【考案の詳細な説明】
【技術分野】
【０００１】
本考案は、冷房と暖房を行うことができる冷暖房衣服に関する。
【背景技術】
【０００２】
従来、衣服を電気的な加熱手段によって暖める暖房服については、多くの公知技術が存在する。
例えば、下記特許文献１には、車両等の蓄電池を電源として用い、電熱ヒーター入り衣服の端子を運転者の衣服のズボン臀部外側に取り付け、運転者が座席に座った時に座席側と衣服側の端子を圧接することにより、電流が流れるように構成した電熱ヒーター入り衣服が提案されている。
【０００３】
また、下記特許文献２には、熱伝導性を有する素材の両端部に通気性素材を連結させてチョッキを形成し、このチョッキの先端部に係止部を設け、内央部には前記係止部と係着する複数の係着部を設けることによって着用者の体格に合わせて発熱体を最適位置に調整できる発熱体装着用チョッキが提案されている。
一方、近年、ジャンバーなどの作業着に空冷ファンを取り付け、携帯型の二次電池によって空冷ファンを駆動して作業者の身体を冷す衣服も提案されている。
【０００４】
【特許文献１】実開昭６０−１９３９１１「電熱ヒーター入り衣服」
【特許文献２】実公昭６２−９２８３「発熱体装着用チョッキ」
【考案の開示】
【考案が解決しようとする課題】
【０００５】
しかしながら、上記従来技術であれば下記のような課題がある。
（Ａ）寒冷作業用と高温作業用の二種類の作業服が必要になる課題
上記構成の作業服であれば、寒冷時に使用する作業服と、暑い時に使用する作業服を二種類購入する必要がある。
また、暑い日に冷凍庫内での作業を行う場合や、寒い日に温室内で作業する場合などがある。このように暑い場所で作業を行う時間帯と寒い場所で作業を行う時間帯とが一日の作業時間内で混在する場合、その都度、作業服を着替えるようなことは面倒であり、寒冷作業用と高温作業用の二種類の作業服を兼用できる衣服が望まれていた。
【０００６】
（Ｂ）使用する二次電池の管理が面倒になる課題
空冷ファンを利用した冷房服に要求される二次電池の特性と、温熱ヒーターを利用した暖房服に要求される二次電池の特性とは異なるので、冷暖房服を製造する場合、二種類の二次電池を用意する必要があった。この場合、冷房服と暖房服の使用時に応じて二種類の二次電池を取替える必要があり、その管理が面倒になる。また、上記兼用型の冷暖房衣服の場合、電池の総重量が大きくなって作業の負担になるとともに製造コストが高くなるという課題がある。
【０００７】
（Ｃ）軽量で実用的な冷暖房衣服がないという課題
現在のところ、暖房か冷房のどちらか一方だけであり、宇宙服のような特別な物を除き、簡単な構成で冷暖房を一つの衣服で行えるようにした実用的なものは少ないようである。また、従来の暖房衣服は、電熱ヒーターを衣服内に縫い込むことで、衣服の装着感が著しく低下する問題があり、日常作業において手軽に使用しづらいという課題がある。
【０００８】
本考案は上記課題に鑑みてなされたものであり、本考案の目的は、上記課題を解決できる、冷暖房衣服を提供することにある。
具体的な目的の一例を示すと、以下の通りである。
（ａ）寒冷作業用のみならず、高温作業用としても使用できる兼用型の冷暖房衣服を提供する。
（ｂ）冷暖房共用であっても使用する二次電池を一つでき、かつ二次電池の管理を簡単にできる冷暖房衣服を提供する。
（ｃ）重量が軽くかつ日常作業においても違和感が無く装着しやすい実用的な冷暖房衣服を提供する。
なお、上記に記載した以外の考案の課題、その解決手段及びその効果は、後述する明細書内の記載において詳しく説明する。
【課題を解決するための手段】
【０００９】
本考案は多面的に表現できるが、例えば、代表的なものを挙げると、次のように構成したものである。
第１考案の冷暖房衣服は、衣服に着脱自在に取り付けられ、電源の供給により発熱する面状発熱体と、衣服に着脱自在に取り付けられ、送風によって体温を冷す送風ファンと、面状発熱体と送風ファンの駆動を一台で共用できる携帯型二次電池と、を備えたことを特徴とする。
第１考案において、面状発熱体としては、低温輻射熱を利用する面状発熱体を採用することが好ましい。また、遠赤外線を多く発生する面状発熱体を使用することが好ましい。携帯型二次電池に使用する直流電源はリチウム電池などの長時間使用できるものを採用することが好ましい。
【００１０】
第２考案は、第１考案に記載の考案において、前記面状発熱体の配設位置は、衣服の装着時におおよそ背骨の第７胸椎と第８胸椎の部分を覆うように面状に広がり、かつ衣服背中面（衣服の後面から腕の部分を除いた面）の面積の１／４〜１／６に設定してあることを特徴とする。
【００１１】
第３考案は、第１考案から第２考案のいずれか一つに記載の考案において、前記携帯型二次電池が、面状発熱体と送風ファンのどちらかに接続されたかを判別する判別手段と、電圧制御手段とを備え、判別手段が面状発熱体に接続されたと判別した場合には、電圧制御手段が接続後しばらくの間は高い第１電圧を印加して加熱し、その後はその第１電圧よりも低い第２電圧で面状発熱体を加熱し、判別手段が送風ファンに接続されたと判別した場合には、電圧制御手段が第３電圧とその第３電圧よりも低い第４電圧を時間的に交互に印加するようにしたことを特徴とする。
第３考案において、前記電圧制御手段はマイクロコンピュータを含んだ構成にすることが好ましい。また、面状発熱体と送風ファンの操作パネルを設け、駆動強度を「強、中、弱」のように作業者が選ぶことができるように構成してもよい。
【００１２】
第４考案は、第１考案から第３考案のいずれか一つに記載の考案において、前記送風ファンは、外部の空気を衣服の内部に取り入れ、衣服内の体温で暖まった空気を外部に放出させることにより、衣服内を冷房する構成であることを特徴とする。
第４考案に関連して、第４考案以外の本考案においては、衣服内の空気を衣服の外部に放出する送風ファンの構成も採用することも可能である。
【００１３】
第５考案は、第１考案から第４考案のいずれか一つに記載の考案において、衣服の上部側に設けられた水貯蔵部と、衣服の所定箇所に設けられ、水貯蔵部から徐々に漏れる水を保持する保水布帛とを備え、前記送風ファンによって生じた送風を保水布帛に当てることにより水の気化を促進させて冷房効果を高めたことを特徴とする。
【００１４】
第５考案において、水貯蔵部は衣服の着心地を悪くしないように柔軟性を備えた袋で構成することが好ましい。また、水貯蔵部から漏れる水分を保水布帛の広い範囲に広げるような水路を形成することが好ましい。
送風ファンによって発生した風を保水布帛の広範囲に導くための送風路を形成することが好ましい。このような送風路は衣服内面に内層材を設け、その内層材に送風路を形成することで構成することが好ましい。
第５考案は、第１考案に従属しない独立した考案とすることもできる。即ち、前記面状発熱体を設けず、少なくとも送風ファンの駆動を行うことができる携帯型二次電池を設ける構成である。
【００１５】
第６考案は、第１考案から第５考案のいずれか一つに記載の考案において、衣服の背中対応部分に面状発熱体を収容する発熱体ポケット部を設けることにより、面状発熱体を着脱自在に取り付けたことを特徴とする。
第６考案において、前記ホケット部は衣服の材質で形成されることが多く、その形状は特に限定されない。必要であれば、マジックテープ（登録商標）のような着脱自在部材を備えた当て布で発熱体ポケット部を形成し、発熱体ポケット部自体を衣服から着脱自在にすることもできる。
【００１６】
また、第６考案のような発熱体ポケット部を設けず、面状発熱体とその対応する衣服の背中部にマジックテープ（登録商標）の雄雌嵌合部材をそれぞれ取付け、面状発熱体自体を衣服に着脱自在に取付けるように構成してもよい。
【００１７】
第７考案は、第１考案から第６考案のいずれか一つに記載の考案において、衣服形状をチョッキ形状にするとともに、腕が出る両肩部と腰回りに送風ファンからの送風が肩部と腰回りから漏れることを抑制する締め具を設けたことを特徴とする。
第７考案において、「締め具」としては、肩部に設けられたギャザーや、腰回りに設けられた締め紐が例示できる。
【００１８】
第８考案は、第１考案から第７考案のいずれか一つに記載の考案において、衣服に携帯型二次電池を収容する電池ポケット部を設けるとともに、携帯型二次電池をベルトに止めるベルト装着具を設け、面状発熱体および送風ファンからの各接続線をベルト装着具に収容された携帯型二次電池にまで達する長さに設定したことを特徴とする。
【００１９】
第９考案は、第１考案から第８考案のいずれか一つに記載の考案において、衣服の前面のファスナー等の開閉部材を挟んで、左右対称に防刃パネルを入れる防刃パネル収容袋を設け、開閉部材を開いた状態で左右の防刃パネル収容袋に防刃パネルの左右両端部を挿入し、開閉部材を綴じることにより、衣服の前面に防刃パネルを配置させるようにしたことを特徴とする。
第９考案において、防刃パネル収容袋は防刃パネルの形状に合致する形状に構成されることが好ましい。また、防刃パネルの移動を抑制する留め具を備えていることが好ましい。
【考案の効果】
【００２０】
以下、各考案の効果などについて説明する。
第１考案であれば、以下の特有の効果を有する。
（イ）面状発熱体、送風ファンをそれぞれ衣服に着脱自在に取り付けるようにすることにより、冷房のみ、暖房のみの使用時には簡単にそれぞれ面状発熱体、送風ファンを取り外すことができる。したがって洗濯も問題無く行えることになる。
（ロ）本考案に係る携帯型二次電池は、面状発熱体と送風ファンの駆動を一台で共用できる携帯型二次電池としているので、暖房用と冷房用を一台の二次電池で済ますことができ、取り扱いが簡便となる。
（ハ）冷房のみ、暖房のみ、冷暖房兼用型にも対応できるので、広範囲に使用することができる。
【００２１】
第２考案であれば、前記面状発熱体を背骨の第７胸椎と第８胸椎の部分を覆うように面状に広がった構成としてあるので、少ない熱量であっても体全体が暖まる感じを得ることができる。これは、人間は背骨の第７胸椎と第８胸椎の部分を覆う部分を面状に暖めることによって背中から上半身にかけて体温が上昇するという発見に基づいて行ったものである。本考案者は、腹部などを暖める場合に比べて、体温上昇効果が高いことを実験により確認している。
また、衣服の背面の面積の１／４〜１／６程度に設定することにより、背中面の全体に面状発熱体を設ける構成に比べて、二次電池の動作時間を長くすることができるとともに、電池エネルギーの消費に比べて体感的な温感効果を高めることができる。
【００２２】
第３考案であれば、携帯型二次電池が、面状発熱体と送風ファンのどちらかに接続されたかを判別する判別手段を備えているので、冷暖房衣服を冷房と暖房のどちらに使用しても最適な運転状態を得ることができる。即ち、暖房に使用する場合には、早く面状発熱体を加熱する必要があるので、最初に高い電圧を印加し、その後はその温度を維持できる程度の電圧を印加する。また、冷房に使用する場合は、送風ファンが高回転で回る時間と、低回転又は停止する時間とを繰り返すことができ、少ない電力量で長時間冷却することができるとともに送風ファンが過剰に回転して加熱するなどの不都合を防止することができる。
【００２３】
第４考案であれば、衣服外の空気を衣服内に取り入れる軽量の送風ファンを少なくとも一つ取り付けるだけでよいので、冷却機能を比較的安価に構成できるという利点がある。
第５考案であれば、前記送風ファンによって生じた送風を含水用布帛に当てることにより水の気化を促進させて冷房効果を高めることができるので、少ない電力で高い冷房効果を得ることができる冷暖房衣服を提供できる。
【００２４】
第６考案であれば、衣服の背中対応部分に面状発熱体が収容される発熱体ポケット部を設けることにより、面状発熱体を着脱自在に取り付けることが安価かつ簡単に行える利点がある。
【００２５】
第７考案であれば、衣服形状をチョッキ形状にすることにより、軽量にできるとともに、他の衣服と組み合わせることができ、冷暖房衣服としての用途を広げることができる。また、腕が出る両肩部と腰回りに送風ファンからの送風が肩部と腰回りから漏れることを抑制する締め部を設けることにより、チョッキ内全体に送風を行き渡らせることができ、冷房の効果を高めることができる。
【００２６】
第８考案であれば、携帯型二次電池を衣服の電池ポケット部に収容した場合と、ベルトに携帯型二次電池を装着した場合とを選択することができ、作業の内容や作業者の好みにより、携帯型二次電池の装着の形態を変えられるという利点がある。
【００２７】
第９考案であれば、通常の衣服に防刃パネルを入れると風通しが悪くなるとともに重量が重くなることにより、衣服の装着感が著しく悪化する。これに対して、冷暖房機能を備えた衣服に防刃パネルを取り付けることにより、装着感を向上させることができる。また、防刃パネルを防刃パネル収容袋に入れるだけで、冷暖房衣服を冷暖房機能付き防護用衣服に簡単に変えることができるので、必要なときだけ防護機能を追加することができ、便利である。
【考案を実施するための最良の形態】
【００２８】
以下、本考案の実施の形態を図面に基づき説明する。
図１〜図６はそれぞれ本考案に係る第１実施形態を示す図であり、冷暖房衣服としての冷暖房チョッキ１を示している。
図１（Ａ）は冷暖房チョッキ１の正面図、図１（Ｂ）はその背面図、図２はその内部の様子を示す図である。
【００２９】
このチョッキ１は、衣服に着脱自在に取り付けられ、電圧の供給により遠赤外線を放射する遠赤外線放射シート２と、衣服に着脱自在に取り付けられ、送風によって体温を冷す送風ファン３・３と、遠赤外線放射シート２と送風ファン３・３の駆動を一台で共用できる携帯型二次電池４と、を備えている。なお、図１〜図２に示す構成では、冷暖房チョッキ１にから遠赤外線放射シート２を取り外し、送風ファン３・３のみを取り付けた構成が示してある。
【００３０】
また、図１（Ａ）に示すように開閉部材２６としてのファスナーを挟んで、左右対称に防刃パネル２４を入れる防刃パネル収容袋２５を設けてある。そして、ファスナーを開いた状態で左右の防刃パネル収容袋２５に防刃パネル２４の左右両端部を挿入し、ファスナーを閉じることにより、冷暖房チョッキ１の前面に防刃パネル２４を配置させることができるように構成してある。この防刃パネル収容袋２５は必要なときにのみ使用する。
【００３１】
図２に示すように、衣服の背中対応部分に発熱体ポケット部５を設け、その発熱体ポケット部５内に遠赤外線放射シート２を収容するように構成してある。発熱体ポケット部５は、上部が開放され、下部に遠赤外線放射シート２の接続線の取出し口６が設けられている。また、発熱体ポケット部５は、チョッキ１を作業者が着たときに、背骨の第７胸椎と第８胸椎域を含み、かつ背中部背面の面積の１／４〜１／６の範囲に設定してある。
【００３２】
チョッキ１から遠赤外線放射シート２を取り外す場合は、発熱体ポケット部５から遠赤外線放射シート２を出すだけでよい。また、図３に示すように、遠赤外線放射シート２からは接続線７が延びており、その接続線７の端子８を、携帯型二次電池４の接続端子９に接続できるようになっている。
図２に示すように、送風ファン３・３は、チョッキ１の両脇の下側位置に一対取り付けられている。送風ファン３・３は、外部の空気を衣服の内部に取り入れ、衣服内の体温で暖まった空気を外部へ放出することにより、衣服内を冷房するように構成してある。
【００３３】
送風ファン３・３からは接続線１０が延びており、その接続線１０の端子１１（図３参照）によって携帯型二次電池４に接続されるように構成されている。一対の送風ファン３・３もチョッキ１から着脱自在に構成されており、チョッキ１の洗濯が行えるように構成してある。
また、チョッキ１の内側下部に電池ポケット部１２を設け、その電池ポケット部１２に携帯型二次電池４を収容できるようになっている。
【００３４】
チョッキ１の内側には、メッシュなどで構成された通気性の良い内装材１３が設けられ、その内装材１３が送風ファン３・３の風出口面を覆うことで、送風ファン３・３の送風が妨げられないように構成してある。また、内装材１３を設けることで、内装材１３とチョッキ本体との間に送風路が形成されやすくなる利点がある。
【００３５】
また、腕が出る肩口１４・１４には、前記締め具１５の一例としてのギャザー１６・１６が設けられ、そのギャザー１６・１６によって送風ファン３・３からの送風が肩口１４・１４から漏れることを抑制している。また、図１（Ａ）に示すように、チョッキ１の下端位置には、前記締め具１５の一例としての締め紐１７が設けられ、チョッキ１の下端を締めることにより、送風ファン３・３からの送風が腰回りから漏れることを抑制している。
なお、この実施形態に係るチョッキ１では、首回りから送風ファン３・３の送風が吹き出すことになる。首回りから送風が吹き出させることにより、顔及び首回りも冷却することができ、冷却効果を高めることができる。
【００３６】
図３は、送風ファン３・３と遠赤外線放射シート２を取出し、それらの接続線７・１０と携帯型二次電池４を並べて記載した図である。このように送風ファン３・３と遠赤外線放射シート２を衣服から取り外し可能に構成することにより、衣服の洗濯が行えるとともに、送風ファン３・３と遠赤外線放射シート２の故障時においても取替えが簡単にできるという利点がある。
【００３７】
図４は二次電池を取り付ける形態を多様化するための工夫を説明するための図である。なお、図４においては、衣服はチョッキではなく、ジャンバーを採用し、冷暖房ジャンバー１８を構成した例が示してある。
ジャンバーに携帯型二次電池４を収容する電池ポケット部（図４において図示せず）を設けるとともに、ベルト１９にベルト装着具２０を設け、そのベルト装着具２０内に携帯型二次電池４を収容するようにしてある。そして、図３に示す遠赤外線放射シート２および送風ファン３・３からの各接続線７・１０をベルト装着具２０に収容された携帯型二次電池４にまで達する長さに設定している。
ベルト１９に携帯型二次電池４を止めるように構成することによって、衣服に携帯型二次電池４を装着するよりも重さを感じにくくなるとともに、動作が激しい場合にも携帯型二次電池４の揺れを小さくできる利点がある。
【００３８】
図５は本実施形態に係る携帯型二次電池の一例を示す概略ブロック図であり、用途に応じて印加する電圧を変える構成を示す図である。
図５において、携帯型二次電池４は、リチウム電池などの直流電源２１と、その直流電源２１に接続され、接続端子９に係る電圧を制御するマイクロコンピュータを備えた電圧制御部２２と、所定の判別要素を検出することにより遠赤外線放射シート２の端子８（図３参照）であるか送風ファン３・３の端子１１（図３参照）であるかを判別する判別部２３とを備えている。
前記判別要素としては、接続端子９に接続された各端子の形状等を検出することによってどの端子８・１１であるかを判別する方法や、接続された端子８・１１に流れる電流や抵抗値等を測定してどの端子であるかを判別する方法などがある。
【００３９】
図６（Ａ）（Ｂ）は、それぞれ前記電圧制御部２２によってコントローラされる電圧の一例を示す図であり、横軸に時間ｔ、縦軸Ｖに電圧を取っている。
図６（Ａ)は遠赤外線放射シート２の端子８（図３参照）であると判別された時に電圧制御部２２が印加する電圧の一例を示した図であり、接続端子９に端子８が接続された直後から大きな第１電圧Ｖ１を印加してできるだけ早く遠赤外線を放出するように駆動し、遠赤外線量がある程度の量得られる時点で、印加電圧を下げて第２電圧Ｖ０で継続駆動する。
【００４０】
図６（Ｂ)は送風ファン３・３の端子１１であると判別された時に電圧制御部２２が印加する電圧の一例を示した図であり、端子１１が接続されたときから、所定時間間隔で高い第３電圧ＶＨと低い第４電圧ＶＬを繰り返して印加して送風ファン３・３が加熱することを防止する。
【００４１】
（第２実施形態）
図７（Ａ）〜図１０は、それぞれ本考案の第２実施形態を説明するための図であり、衣服に水を含ませて蒸発によって冷却するようにした冷暖房チョッキの説明図である。なお、第１実施形態とほど同じ機能を有する部材には同じ符号を付けてその説明は省略する。
図７（Ａ）は冷暖房チョッキ３３の正面図、図７（Ｂ）はその背面図、図８は内部の様子を示す図である。図９と図１０は冷暖房チョッキ３３の構成を説明するための図であり、図９は冷暖房チョッキの一部を切り欠いた図、図１０は縦断面図である。
【００４２】
図７と図８に示すように、このチョッキ３３は、衣服の上部側に設けられた水貯蔵部３４と、衣服の所定箇所に設けられ、水貯蔵部３４から徐々に漏れる水を含ませる保水布帛３５（図９参照）と、衣服に着脱自在に取り付けられ、含水用布帛３５へ送風を行う送風ファン３・３と、少なくとも送風ファン３・３を駆動できる携帯型二次電池４とを備え、前記送風ファン３・３によって生じた送風を保水布帛３５に当てることにより水の気化を促進させて冷房効果を高めることを特徴としている。
図７と図８においては水貯蔵部３４の配置位置が分かりやすいように描いているが、実際には水貯蔵部３４の上には隠し布が設けられ、水貯蔵部３４が外部からは分からないように構成して、デザイン性を向上させてある。
【００４３】
なお、図８に示すように、上記構成の衣服に着脱自在に装着でき、電圧の供給により遠赤外線を放射する遠赤外線放射シート２を設けてもよい。その場合は、携帯型二次電池４は第１実施形態に示したように遠赤外線放射シート２と送風ファン３・３の両方を駆動する構成にする。また、背中部に遠赤外線放射シート２を入れる発熱体ポケット部５を設ける。
【００４４】
図７（Ａ）（Ｂ）に示すように、この第２実施形態では、水貯蔵部３４は、前面には左と右に２個のビニール製などの貯水袋３６・３６が取り付けられ、後面には１個の大きな貯水袋３７が取り付けられている。また、各貯水袋３６・３７の上部注ぎ口３８（図９参照）から水を入れるように構成してある。
図９に示すように、貯水袋３７の下部位置には開口３９を形成し、その開口３９に水が伝わり落ちる紐４０を取付けている。そして、その紐４０から貯水袋３７内の水を徐々に保水布帛３５に染み込ませるように構成してある。
【００４５】
また、図１０に示すように、冷暖房チョッキ３３は身体側から下地生地４１、保水布帛３５、メッシュ４２、表面生地４３の順に配置される。
保水布帛３５は本実施形態において、最も特徴のある材料であり、保水布帛３５の身体側部分は水分を通さない加工又は水分を通さない繊維材料で構成されるとともにその外側部分は水分を通しやすい繊維材料で構成されている。また、保水布帛３５はその全面にわたって、風通しを良くするために細かい開口又は切り目（両方とも図示せず）が形成されている。必要に応じて下地生地４１にも開口又は切り目を設けても良い。
【００４６】
下地生地４１は水分を通さない繊維材料で構成されている。表面生地４３は色などデザインを良くするために必要に応じて設けられるもので、表面生地４３を設けない構成も採用できる。
また、図１０に示すように冷暖房チョッキ３３の下端には腰回り位置に帯状に延びる下端保水材４４が設けられている。下端保水材４４は、保水布帛３５から蒸発せず、垂れてきた余分な水を保持するためのものである。
【００４７】
この含水型の冷暖房チョッキ３３であっても送風ファン３・３の風を保水布帛３５に巡らすことにより、気化を促進させてチョッキ内温度を早く下げることができる。この送風ファン３・３の風をチョッキ３３内に行き渡らせるようにするために、下地生地４１、メッシュ４２の間に保水布帛３５を挟み込む形態を取ることが好ましい。
【００４８】
また、表面生地４３は、液体状の水分は通過させないが、蒸発した水蒸気は通過させる機能を備えている機能性繊維で構成されることが好ましい。
このような構成であれば、含水用布帛の水分が外側に漏れて付着することはなく、かつ送風ファンによって気化が促進された水蒸気は外側に逃すことができ、効率的に衣服内を冷すことができる。
【００４９】
本考案は上記実施形態に限定されず、本考案の要旨の範囲内で各種の変形が可能である。
（１）前記実施形態では、衣服としてチョッキ、ジャンバーを例示したが、それら以外にもコートなどの外装着や、コートなどの下側に着る衣服などにも適用できるものである。
（２）前記実施形態では、送風ファン３・３を２個設けるとともに、遠赤外線放射シート２は背中に１個だけ設けた場合を示したが、送風ファン３・３を２個以上設ける形態や、ほぼ背中全体を覆うように遠赤外線放射シート２を設ける構成などが採用可能である。
【図面の簡単な説明】
【００５０】
【図１】図１（Ａ）は本考案の第１実施形態に係る冷暖房チョッキの正面図、図１（Ｂ）はその冷暖房チョッキの背面図である。
【図２】図２は、本考案の第１実施形態に係る冷暖房チョッキ内部の様子を示す図である。
【図３】図３は、送風ファン、遠赤外線放射シート、及び携帯型二次電池の説明図である。
【図４】図４は、衣服としてジャンバーを採用し、携帯型二次電池をベルトに取り付ける形態を示す図である。
【図５】図５は、本実施形態に係る携帯型二次電池の一例を示す概略ブロック図である。
【図６】図６（Ａ）（Ｂ）は、それぞれ電圧制御部によってコントローラされる電圧の一例を示す図であり、図６（Ａ)は遠赤外線放射シートの電圧印加の一例を示す図、図６（Ｂ)は送風ファンの電圧印加の一例を示す図である。
【図７】図７（Ａ）は本考案の第２実施形態に係る冷暖房チョッキの正面図、図７（Ｂ）はその冷暖房チョッキの背面図である。
【図８】図８は、本考案の第２実施形態に係る冷暖房チョッキ内部の様子を示す図である。
【図９】図９は、本考案の第２実施形態に係る冷暖房チョッキの一部を切り欠いた図である。
【図１０】図１０は、本考案の第２実施形態に係る冷暖房チョッキの概略的な縦断面図である。
【符号の説明】
【００５１】
１，３３…冷暖房チョッキ（衣服）、２…遠赤外線放射シート（面状発熱体）、３…送風ファン、４…携帯型二次電池、５…発熱体ポケット部、７…遠赤外線放射シートの接続線、１０…送風ファンの接続線、１２…電池ポケット部、１５…締め具、１６…ギャザー、１７…締め紐、２０…ベルト装着具、２２…電圧制御部、２３…判別部、２４…防刃パネル、２５…防刃パネル収容袋、２６…開閉部材、３４…水貯蔵部、３５…保水布帛。
【図１】
0003118697.tif 000003
【図２】
0003118697.tif 000004
【図３】
0003118697.tif 000005
【図４】
0003118697.tif 000006
【図５】
0003118697.tif 000007
【図６】
0003118697.tif 000008
【図７】
0003118697.tif 000009
【図８】
0003118697.tif 000010
【図９】
0003118697.tif 000011
【図１０】
0003118697.tif 000012